(57)【要約】      （修正有）【課題】敏感度に優れたオーバーロード保護機能を兼ね備えた低アンペア型のノーヒューズブレーカを提供する。【解決手段】スイッチ部材１１を押圧することにより導通するノーヒューズブレーカであって、筐体１０を有し、筐体内に第一端子２０及び第二端子３０が設置され、第二端子の筐体側にバイメタルプレート３１が結合され、バイメタルプレートの自由端には、スイッチ部材と接する可動コンタクト３２が固定され、第一端子に所定の間隔を置いて第一ピン２１及び第二ピン２２が設置され、それら第一ピンと第二ピンとの隣接する端は銅線２４により接続され、銅線は所定の間隔を置いてバイメタルプレートの中程に対向するように配置され、第二ピンの自由端には、銅線からの放射熱によるバイメタルプレートの跳ね返りにより可動コンタクトと離間する固定コンタクト２３が固定されることを特徴とする。【選択図】図１
0003100935.tif 000002
【実用新案登録請求の範囲】
【請求項１】
スイッチ部材（１１）を押圧することにより導通するノーヒューズブレーカであって、
筐体（１０）を有し、該筐体（１０）内に第一端子（２０）及び第二端子（３０）が設置され、該第二端子（３０）の筐体（１０）側にバイメタルプレート（３１）が結合され、該バイメタルプレート（３１）の自由端には、該スイッチ部材（１１）と接する可動コンタクト（３２）が固定され、
該第一端子（２０）に所定の間隔を置いて第一ピン（２１）及び第二ピン（２２）が設置され、それら第一ピン（２１）と第二ピン（２２）との隣接する端は銅線（２４）により接続され、該銅線（２４）は所定の間隔を置いてバイメタルプレート（３１）の中程に対向するように配置され、
該第二ピン（２２）の自由端には、該銅線（２４）からの放射熱によるバイメタルプレート（３１）の跳ね返りにより可動コンタクト（３２）と離間する固定コンタクト（２３）が固定されることを特徴とする低アンペア型のノーヒューズブレーカ。
【請求項２】
前記バイメタルプレート（３１）の銅線（２４）側に円弧状の変形部（３１０）が設けられることを特徴とする請求項１に記載の低アンペア型のノーヒューズブレーカ。
【請求項３】
前記筐体（１０）の内部両側にそれぞれ絶縁体から成り、バイメタルプレート（３１）側へ突出する凸柱（１４）が設けられ、何れかの凸柱（１４）はバイメタルプレート（３１）における変形部（３１０）の突出側に当接されることを特徴とする請求項２に記載の低アンペア型のノーヒューズブレーカ。
【考案の詳細な説明】
【技術分野】
【０００１】
本考案は、ノーヒューズブレーカの構造に関するものであり、特に敏感度に優れたオーバーロード保護機能を兼ね備えた低アンペア型のノーヒューズブレーカに関するものである。
【背景技術】
【０００２】
図５及び図６に示すように、従来のオーバーロード防止手段を備えた低アンペア型のノーヒューズブレーカは、中空の筐体（５０）を有し、筐体（５０）の上部にスイッチ部材（６０）が設置され、そのスイッチ部材（６０）における、筐体（５０）の内部に隠れる位置に第一掛止ブロック（６１）及び第二掛止ブロック（６２）が設けられ、更に、筐体（５０）の内部に第一端子（５１）及び第二端子（５２）が設置され、それら第一端子（５１）及び第二端子（５２）は筐体（５０）における、スイッチ部材（６０）が設置されない側に突設され、その内の第一端子（５１）における、スイッチ部材（６０）の第一掛止ブロック（６１）側に固定コンタクト（５１０）が設けられると共に、第二端子（５２）の短い方の側にバイメタルプレート（５３）が接合され、該バイメタルプレート（５３）の自由端に固定コンタクト（５１０）の一側と対応する可動コンタクト（５３０）が設けられる。
【０００３】
そして、図６に示すように、スイッチ部材（６０）を押圧して導通状態にすると、スイッチ部材（６０）の第二掛止ブロック（６２）がバイメタルプレート（５３）の自由端を押圧し、第一端子（５１）側へ湾曲させて可動コンタクト（５３０）を固定コンタクト（５１０）に接触させ、導通状態とする。また、反対に、図７に示すように、スイッチ部材（６０）を押圧して非導通状態にすると、スイッチ部材（６０）の第一掛止ブロック（６１）がバイメタルプレート（５３）の他端を押圧し、該バイメタルプレート（５３）を復位させる。
【０００４】
前記導通状態時においてバイメタルプレート（５３）がオーバーロード状態となり温度が上昇すると、バイメタルプレート（５３）が熱により膨張して自ら湾曲変形し、可動コンタクト（５３０）をバイメタルプレート（５３）から離間させると共に、スイッチ部材（６０）の第二掛止ブロック（６２）を押し上げる。
【０００５】
更に、従来の低アンペア型のノーヒューズブレーカでは前記バイメタルプレート（５３）における変形の敏感度を高めるために、該バイメタルプレート（５３）の中段に円弧状の変形部（５３１）が設けられると共に、筐体（５０）の内部両側にそれぞれ変形部（５３１）の一側に位置する凸柱（５４,５５）が設けられ、その変形部（５３１）が導通或いは非導通状態にかかわらず、凸柱（５４,５５）の何れかに当接されることにより、変形時において反作用力を発生する。
【考案の開示】
【考案が解決しようとする課題】
【０００６】
しかし、現在使用されている低アンペア型の電気製品の多くは、その受ける電流がバイメタルプレートのオーバーロードを感知する範囲より低いので、例えば、電気装置に１アンペアの電流が流れ、バイメタルプレートのオーバーロードを感知できる範囲が３アンペア以上である場合は、バイメタルプレートはオーバーロードを感知して跳ね返ることができないので、電気装置がオーバーロード状態となり破損してしまう。故に、従来のオーバーロード防止手段を備えた電気スイッチは確実にオーバーロードを感知することができないので、使用安全性に優れない。
【課題を解決するための手段】
【０００７】
本考案は、
スイッチ部材（１１）を押圧することにより導通するノーヒューズブレーカであって、
筐体（１０）を有し、該筐体（１０）内に第一端子（２０）及び第二端子（３０）が設置され、該第二端子（３０）の筐体（１０）側にバイメタルプレート（３１）が結合され、該バイメタルプレート（３１）の自由端には、該スイッチ部材（１１）と接する可動コンタクト（３２）が固定され、
該第一端子（２０）に所定の間隔を置いて第一ピン（２１）及び第二ピン（２２）が設置され、それら第一ピン（２１）と第二ピン（２２）との隣接する端は銅線（２４）により接続され、該銅線（２４）は所定の間隔を置いてバイメタルプレート（３１）の中程に対向するように配置され、
該第二ピン（２２）の自由端には、該銅線（２４）からの放射熱によるバイメタルプレート（３１）の跳ね返りにより可動コンタクト（３２）と離間する固定コンタクト（２３）が固定されることを特徴とする低アンペア型のノーヒューズブレーカ、を提供する。
【考案の効果】
【０００８】
本考案はスイッチ部材を押圧することにより導通する低アンペア型のノーヒューズブレーカであり、筐体を有し、該筐体内に第一端子及び第二端子が設置され、該第二端子の筐体側にバイメタルプレートが結合され、該バイメタルプレートの自由端には、該スイッチ部材と接する可動コンタクトが固定され、該第一端子に所定の間隔を置いて第一ピン及び第二ピンが設置され、それら第一ピンと第二ピンとの隣接する端は銅線により接続され、該銅線は所定の間隔を置いてバイメタルプレートの中程に対向するように配置され、該第二ピンの自由端には該銅線からの放射熱によるバイメタルプレートの跳ね返りにより可動コンタクトと離間する固定コンタクトが固定されるので、スイッチが導通状態の時、電流は銅線を介して第一ピン、第二ピンに流れ、この時、銅線に発生する熱がバイメタルプレートの一側の温度を上昇させ、自動的に湾曲変形して跳ね返り電源を非導通状態にする。故に、この構成によれば、電流が所定の強さに達しなくてもバイメタルプレートが湾曲変形して跳ね返り電源を非導通状態にするので、優れた敏感度を有するバイメタルプレートを提供できると共に、オーバーロードによる電気装置の破損も確実に防止できる。
【考案を実施するための最良の形態】
【０００９】
以下、添付図面を参照して本考案の好適な実施の形態を詳細に説明する。
【実施例】
【００１０】
図１は本考案に係る低アンペア型のノーヒューズブレーカの分解斜視図であり、図２は本考案に係る低アンペア型のノーヒューズブレーカの第一端子と第二端子との位置関係を示す斜視図であり、図３は本考案に係る低アンペア型のノーヒューズブレーカの導通状態を示す側面断面図であり、図４は本考案に係る低アンペア型のノーヒューズブレーカの非導通状態を示す側面断面図である。
【００１１】
図１及び図２に示すように、本考案の低アンペア型のノーヒューズブレーカは筐体（１０）を有し、筐体（１０）内に第一端子（２０）及び第二端子（３０）が設置され、該第二端子（３０）の筐体（１０）側にバイメタルプレート（３１）が結合され、そのバイメタルプレート（３１）の中程に対向するように、その自由端が可動コンタクト（３２）に固定される円弧状の変形部（３１０）が設けられ、また、第一端子（２０）は所定の間隔で設置される第一ピン（２１）及び第二ピン（２２）と、それら第一ピン（２１）と第二ピン（２２）との隣接する端を連結する銅線（２４）とから成り、その内の第一ピン（２１）の一部は筐体（１０）の外側に突出すると共に、第二ピン（２２）は筐体（１０）の内部に配置され、それら第一ピン（２１）及び第二ピン（２２）は、対向する端がそれぞれバイメタルプレート（３１）側に折曲された後、銅線（２４）により連結される。更に、第二ピン（２２）上に固定コンタクト（２３）が設けられると共に、前記筐体（１０）における、固定コンタクト（２３）及び可動コンタクト（３２）と隣接する側にスイッチ部材（１１）が設置され、スイッチ部材（１１）には筐体（１０）の内部に設置される第一掛止ブロック（１２）及び第二掛止ブロック（１３）が設けられる。
【００１２】
図３に示すように、前記スイッチ部材（１１）における第一掛止ブロック（１２）及び第二掛止ブロック（１３）はそれぞれバイメタルプレート（３１）の自由端の両側に配置されると共に、筐体（１０）の内部両側にそれぞれ絶縁体から成り、バイメタルプレート（３１）の変形部（３１０）側へ突出する凸柱（１４）が設けられ、何れかの凸柱（１４）は変形部（３１０）の出っ張り側に当接される。また、同図に示すように、スイッチ部材（１１）を導通状態側に押圧すると、第二掛止ブロック（１３）によりバイメタルプレート（３１）の自由端が押圧されて変形し、可動コンタクト（３２）が固定コンタクト（２３）と接触して導通状態となり、この時、銅線（２４）はバイメタルプレート（３１）と所定の間隔を保つように隣接する。そして、導通状態になると、第一端子（２０）における第一ピン（２１）と第二ピン（２２）とが銅線（２４）を介して電気接続され、それにより、電流が銅線（２４）を通過した時、銅線（２４）の温度が上昇してバイメタルプレート（３１）に対し熱放射が行われ、その熱放射によりバイメタルプレート（３１）の温度が上昇して、所定の範囲の温度に達すると、図４に示すように、円弧状の変形部（３１０）が熱変形により反り返って可動コンタクト（３２）が反発し、スイッチ部材（１１）を押し上げて非導通状態にする。
【００１３】
上述したように、本考案の構成によれば、バイメタルプレート（３１）は電流の通過時に温度上昇する以外に、銅線（２４）の熱放射によっても温度上昇するので、より敏感度を高めることができる。即ち、仮にバイメタルプレート（３１）の許容電流が３アンペアであっても、３アンペア以下の電流でバイメタルプレート（３１）は作動するので、確実にオーバーロードの保護機能を達成できる。
【図面の簡単な説明】
【００１４】
【図１】本考案に係る低アンペア型のノーヒューズブレーカの分解斜視図である。
【図２】本考案に係る低アンペア型のノーヒューズブレーカの第一端子と第二端子との位置関係を示す斜視図である。
【図３】本考案に係る低アンペア型のノーヒューズブレーカの導通状態を示す側面断面図である。
【図４】本考案に係る低アンペア型のノーヒューズブレーカの非導通状態を示す側面断面図である。
【図５】従来の低アンペア型のノーヒューズブレーカの分解斜視図である。
【図６】従来の低アンペア型のノーヒューズブレーカの導通状態を示す側面断面図である。
【図７】従来の低アンペア型のノーヒューズブレーカの非導通状態を示す側面断面図である
【符号の説明】
【００１５】
１０        筐体
１１        スイッチ部材
１２        第一掛止ブロック
１３        第二掛止ブロック
１４        凸柱
２０        第一端子
２１        第一ピン
２２        第二ピン
２３        固定コンタクト
２４        銅線
３０        第二端子
３１        バイメタルプレート
３１０        変形部
３２        可動コンタクト
５０        筐体
５１        第一端子
５１０        固定コンタクト
５２        第二端子
５３        バイメタルプレート
５３０        可動コンタクト
５３１        変形部
５４，５５        凸柱
６０        スイッチ部材
６１        第一掛止ブロック
６２        第二掛止ブロック
【図１】
0003100935.tif 000003
【図２】
0003100935.tif 000004
【図３】
0003100935.tif 000005
【図４】
0003100935.tif 000006
【図５】
0003100935.tif 000007
【図６】
0003100935.tif 000008
【図７】
0003100935.tif 000009